(57)【要約】【課題】安定且つ着脱自在に取り付けられ、形状にばらつきがある各種シャンプーボウルに、汎用性高く取り付けられるシャンプーボウル取付型枕を提供する。【解決手段】略平板状の台座１０，台座１０の左右両奥端付近に立設された当接部２０，２０，台座１０の左右略中央に立設された支持棒材３３，及び支持棒材３３の上端に設けられ被洗髪者の頭部を支承する支承部３４とを具備するシャンプーボウル取付型枕である。当接部２０，２０は、支持脚２１，２１に回動可能且つ角度調節可能なガイド筒部材２２，２２を有し、ガイド筒部材２２，２２には、その奥端がシャンプーボウル奥壁に当接される当接棒材２３，２３が、摺動自在且つ固定位置変更可能に内嵌されている。シャンプーボウルに載置して取り付けられるが、ガイド筒部材２２，２２の角度及び当接棒材２３，２３の突出長さを調節でき汎用性が高い。【選択図】図１
0003154625.tif 000002
【実用新案登録請求の範囲】
【請求項１】
シャンプーボウル内に載置される略平板状の台座，奥側に突出する当接棒材を有し、台座の左右両奥端付近に立設された当接部，台座の左右略中央に立設された支持棒材，及び該支持棒材の上端に設けられ、被洗髪者の頭部を支承する支承部とを具えてなることを特徴とするシャンプーボウル取付型枕。
【請求項２】
当接部が、回動可能且つ角度調節可能なガイド筒部材を有し、
当接棒材が、ガイド筒部材に進退可能に螺合され、又は、摺動自在且つ固定位置変更可能に内嵌されてなることを特徴とする請求項１に記載のシャンプーボウル取付型枕。
【請求項３】
台座に設けられた前後方向の摺動溝に摺動自在且つ固定位置変更可能に設けられた摺動部材を有し、
支持棒材が、摺動部材上に傾けて立設されたガイド筒に、進退可能に螺合され又は摺動自在且つ固定位置変更可能に内嵌されてなることを特徴とする請求項１又は請求項２に記載のシャンプーボウル取付型枕。
【請求項４】
支承部が、支持棒材に、回動自在且つ角度調節可能に連結されてなることを特徴とする請求項１乃至請求項３の何れか１項に記載のシャンプーボウル取付型枕。
【請求項５】
支承部が、相互に略平行で回動自在な２以上のシリンダーと、該シリンダーに架け渡されて設けられた無端帯を有することを特徴とする請求項１乃至請求項４の何れか１項に記載のシャンプーボウル取付型枕。
【請求項６】
台座の奥端における左右略中央が切り欠かれ、排水凹部が設けられてなることを特徴とする請求項１乃至請求項５の何れか１項に記載のシャンプーボウル取付型枕。
【請求項７】
台座がステンレス鋼又は防錆処理加工された金属で作製されてなることを特徴とする請求項１乃至請求項６の何れか１項に記載のシャンプーボウル取付型枕。
【請求項８】
台座が透光性合成樹脂で作製されてなることを特徴とする請求項１乃至請求項６の何れか１項に記載のシャンプーボウル取付型枕。
【考案の詳細な説明】
【技術分野】
【０００１】
本考案は、シャンプーボウルに着脱可能に取り付けられる枕に関する。
【背景技術】
【０００２】
理容室若しくは美容室において又は介護のために被洗髪者の髪や頭部を洗う場合、シャンプーボウル（シャンプーボール，洗髪台，洗髪ボウル等とも称されるが、本考案においてはシャンプーボウルの語を用いる）が頻用される。シャンプーボウルの縁部における手前側中央付近を凹ませて設けた頸載置部に、仰向けに寝かせた被洗髪者の頸部を載せて洗髪するのが一般的だが、それによって、頭痛，頸痛の他、眩暈，吐き気，上下肢の痺れ，脳血管障害等の症状を伴う美容院卒中症候群を惹起する虞があり、問題視されている。これらの症状や疾病は、後方に反らした頭部を頸部のみで支承する姿勢に起因すると考えられている。即ち、頸部には頭部全体を支承するための過大な負担が掛かり、それ自体が痛みの原因となるばかりでなく、当該負担によって血管が圧迫され、脳血管障害が惹き起こされると指摘されている。
【０００３】
頸部への負担を軽減することを目的とする、種々の枕や頭部支持具が開示されている。例えば、所定形状のシャンプーボウルに取り付けられる頭部支持装置が開示されている（例えば、特許文献１（第５−６頁、図１−３，７−１２）参照）。シャンプーボウルの内面に吸盤等で取り付けられる、洗髪台用昇降枕（例えば、特許文献２参照）や後頭部支持補助具（例えば、特許文献３参照）が開示されている。また、脚部の下面に設けられる受部をシャンプーボウルの内面に載置すると共に、支持部材の下面の一部をシャンプーボウルの前縁上に載置係合して用いられる洗髪用頭部支持具が開示されている（例えば、特許文献４参照）。
【先行技術文献】
【特許文献】
【０００４】
【特許文献１】特開２００７−１５９６７４号公報
【特許文献２】登録実用新案第３１３６９９２号公報
【特許文献３】登録実用新案第３１２２９８７号公報
【特許文献４】特開２００４−４１５６３号公報
【考案の概要】
【考案が解決しようとする課題】
【０００５】
しかしながら、上記特許文献１に記載の頭部支持装置は、頸載置部の奥に、当該頭部支持装置を取り付ける略平らな段が設けられたシャンプーボウルにのみ取り付けられる形状であり、汎用性に乏しい。また、当該頭部支持装置をシャンプーボウルに着脱自在に取り付けることについては、何ら開示されていない。
【０００６】
特許文献２に記載の洗髪台用昇降枕は、シャンプーボウルの内面に吸盤で取り付けて用いる型であって、シャンプーボウルから外れて落下若しくは転倒し又はシャンプーボウル内壁に沿って滑る虞があり、安定性を欠き被洗髪者を危険に曝してしまう。シャンプーボウルが水に濡れ、又は、毛髪が吸盤とシャンプーボウル内面との間に挟み込まれた場合には、前記洗髪台用昇降枕は特に不安定である。
【０００７】
特許文献２には、前記滑りを回避するためにゴムシートを取り付け、又は粘着層を形成することも記載されている。しかし、ゴムシートを取り付けるのみでは充分な安定性は達成されないし、洗髪台用昇降枕以外の用具及びそれを衛生的に維持する手間が必要であり、却って煩雑である。また、粘着層の形成には加工の手間が必要であるし、水に濡れ又は毛髪が付着することによって前記粘着層の粘着力は弱まってしまう虞がある。粘着層に付着した毛髪は除去し辛く、やはり衛生を保つことが困難である。つまり、特許文献２記載の技術によっては、他の用具やシャンプーボウルの加工を以ってしても、充分な安定性を達成することはできない。
【０００８】
特許文献３に記載の後頭部支持補助具は、特許文献２と同様に、シャンプーボウルの内面に吸盤で取り付けて用いられるものであって、シャンプーボウルから外れて落下若しくは転倒し又はシャンプーボウル内壁に沿って滑る虞があり、安定性を欠き被洗髪者を危険に曝してしまう。シャンプーボウルが水に濡れ、又は、毛髪が吸盤とシャンプーボウル内面との間に挟み込まれた場合には、前記後頭部支持補助具は特に不安定である。
【０００９】
特許文献４に記載の洗髪用頭部支持具は、その係合部をシャンプーボウルの前縁に係合して取り付けて用いるものであって、たとえ受部をシャンプーボウル内面に載置したとしても、ぐらつき、安定性に欠ける。しかも、形状にばらつきがある各種シャンプーボウルに安定に取り付けることはできず、汎用性に欠ける。被洗髪者の頭部を、それよりも幅広の頭部支持部に載せて支持する構成であるから、少なくとも後頭部を洗う場合には、前記頭部支持部が邪魔となって洗髪し難い。
【００１０】
上記問題点に鑑み、本考案は、他の用具やシャンプーボウルの加工を必要とせず、安定且つ着脱自在に取り付けられる、シャンプーボウル取付型枕を提供することを課題とする。また、形状にばらつきがある各種シャンプーボウルに、汎用性高く取り付けられる前記シャンプーボウル取付型枕を提供することを課題とする。
【課題を解決するための手段】
【００１１】
上記課題を解決する第１の考案は、シャンプーボウル内に載置される略平板状の台座，奥側に突出する当接棒材を有し、台座の左右両奥端付近に立設された当接部，台座の左右略中央に立設された支持棒材，及び該支持棒材の上端に設けられ、被洗髪者の頭部を支承する支承部とを具えてなるシャンプーボウル取付型枕である。
【００１２】
第２の考案は、当接部が、回動可能且つ角度調節可能なガイド筒部材を有し、
当接棒材が、ガイド筒部材に進退可能に螺合され、又は、摺動自在且つ固定位置変更可能に内嵌されてなる第１の考案に係るシャンプーボウル取付型枕である。
【００１３】
第３の考案は、台座に設けられた前後方向の摺動溝に摺動自在且つ固定位置変更可能に設けられた摺動部材を有し、
支持棒材が、摺動部材上に傾けて立設されたガイド筒に、進退可能に螺合され又は摺動自在且つ固定位置変更可能に内嵌されてなる第１又は第２の考案に係るシャンプーボウル取付型枕である。
【００１４】
第４の考案は、支承部が、支持棒材に、回動自在且つ角度調節可能に連結されてなる第１乃至第３の考案の何れかに係るシャンプーボウル取付型枕である。
【００１５】
第５の考案は、支承部が、相互に略平行で回動自在な２以上のシリンダーと、該シリンダーに架け渡されて設けられた無端帯を有する第１乃至第４の考案の何れかに係るシャンプーボウル取付型枕である。
【００１６】
第６の考案は、台座の奥端における左右略中央が切り欠かれ、排水凹部が設けられてなる第１乃至第５の考案の何れかに係るシャンプーボウル取付型枕である。
【００１７】
第７の考案は、台座がステンレス鋼又は防錆処理加工された金属で作製されてなる第１乃至第６の考案の何れかに係るシャンプーボウル取付型枕である。
【００１８】
第８の考案は、台座が透光性合成樹脂で作製されてなる第１乃至第６の考案の何れかに係るシャンプーボウル取付型枕である。
【考案の効果】
【００１９】
本考案のシャンプーボウル取付型枕は、台座の端部における少なくとも一部をシャンプーボウル内面に載置当接すると共に、当接棒材の奥端をシャンプーボウル内面の奥壁に当接して配置されるから、シャンプーボウルから外れて落下若しくは転倒し、シャンプーボウル内面に沿って滑り、又はぐらつく危惧が無い。したがって、本考案はシャンプーボウルに安定に取り付けられ、支承部で支承された被洗髪者の頭部も安定に維持される。
【００２０】
本考案の取付に際しては、ゴムシート等の本考案以外の部材を用いる必要がなく、また、粘着層形成等のシャンプーボウルに対する加工の必要も無い。それによって、本考案及びシャンプーボウルを衛生的に保つことが容易である。
【００２１】
本考案は、シャンプーボウルに着脱自在に取り付けられるから、枕が一体的に取り付けられたシャンプーボウルを新たに購入せずとも、既存のシャンプーボウルに機能付与して枕付のシャンプーボウルを得ることができる。被洗髪者の頭部を支承してその位置を適切に維持して、頭痛，頸痛，美容院卒中症候群等の症状や疾病を回避することができる。
【００２２】
本考案は、本考案を収納可能で奥壁を有するシャンプーボウルであれば取付可能であって、頸載置部の形状やサイズ，内面の傾斜角度等のシャンプーボウルの形状によらず、既存のシャンプーボウルに汎用性高く取り付けられる。
【００２３】
本考案は、支持棒材上端に設けられた支承部で被洗髪者の頭部を支承する構成であって、当該支承部は被洗髪者の頭部の一部に当接される大きさであれば良い。被洗髪者の頭部を支承する大きな部材を要しないから、後頭部及び側頭部の洗髪に際しても邪魔となる部材が存在せず、洗髪が容易である。
【００２４】
第２の考案に係るシャンプーボウル取付型枕は、当接棒材の傾斜角度及び突出長さを調節可能だから、形状やサイズの異なる多様なシャンプーボウルに取り付けられ、より汎用性が高い。
【００２５】
第３の考案に係るシャンプーボウル取付型枕は、支承部の前後位置及び高さ位置を調節可能であるから、シャンプーボウル及び被洗髪者に適した位置に当該支承部を配置させることができる。
【００２６】
第４の考案に係るシャンプーボウル取付型枕は、支承部が角度可変だから、被洗髪者は、自身に適した楽な姿勢を取ることができる。
【００２７】
第５の考案によれば、頭部を支承したまま、被洗髪者の顔の向きを変えることができる。被洗髪者の頭部の一部は支承部に当接している間は洗髪不能であるが、当該支承される位置は、無端帯の回転によって容易に変更可能である。したがって、被洗髪者に負担を掛けずに顔の向きを変え、頭部及び毛髪全体を満遍無く洗うことができる。
【００２８】
第６の考案によれば、台座の奥端の略中央に排水凹部が設けられているから、シャンプーボウルの排水口が台座で覆われることが回避され、効率的な排水が可能である。それによって、シャンプーボウル取付型枕及びシャンプーボウルを、より衛生的に保つことができる。
【００２９】
第７の考案によれば、台座がステンレス鋼又は防錆処理加工された金属で作製されているから、適度な剛性及び堅牢性を有し錆び難く、長期の使用に耐える。
【００３０】
第８の考案によれば、台座が透光性合成樹脂で作製されているから、シャンプーボウル内面と台座との間の空隙に残存する毛髪，洗髪剤等を視認できる。残存を確認しながら、それらを洗い流すことができるから、シャンプーボウル取付型枕及びシャンプーボウルを、より衛生的に保つことが可能である。
【図面の簡単な説明】
【００３１】
【図１】実施例１のシャンプーボウル取付型枕を示す背面斜視図である。
【図２】実施例１のシャンプーボウル取付型枕を示す要部側方視断面図である。
【図３】実施例１に係る支承部付近を示す要部正面図である
【図４】実施例１のシャンプーボウル取付型枕をシャンプーボウルに取り付けた状態を示す側面図である。
【図５】実施例２のシャンプーボウル取付型枕を示す背面斜視図である。
【図６】実施例２に係る支承部付近を示す要部図面で、（ａ）は正面図であり、（ｂ）は（ａ）のＡ−Ａ線断面図である。
【図７】一般的なシャンプーボウルの形状を説明する参考斜視図である。
【考案を実施するための形態】
【００３２】
以下に、本考案を実施するための形態を、実施例を示す図面を参照しつつ詳細に説明する。尚、本考案は、これら実施例及び図面に限定されるものではない。
【実施例１】
【００３３】
本考案のシャンプーボウル取付型枕は、図１に示される様に、シャンプーボウル９０内に載置される略平板状の台座１０，奥側に突出する当接棒材２３，２３を有し、台座１０の左右両奥端付近に立設された当接部２０，２０，台座１０の左右略中央に立設された支持棒材３３，及び支持棒材３３の上端に設けられ、被洗髪者の頭部を支承する支承部３４とを具えている。
【００３４】
一般的なシャンプーボウル９０は、図７に示される様に、窪み９１の最下端部に排水口９２が設けられると共に、その内面の奥壁９３は略鉛直となる様に形成されている。シャンプーボウル９０外周の縁部９４には、その手前側中央付近が凹まされて頸載置部９５が設けられている。本考案は、台座１０端部の少なくとも一部をシャンプーボウル９０内面の手前側に載置当接すると共に、当接棒材２３，２３奥端の当接緩衝部２３ａ，２３ａを奥壁９３に当接して、シャンプーボウル９０内に配置されて用いられる。被洗髪者の頸部を頸載置部９５に載置すると共に、本考案の支承部３４を被洗髪者の頭部の一部に当接して、それを支承する。
【００３５】
本考案を構成する各部材は、以下特筆する場合を除き、剛性を有する材質で作製される。その材質は特に限定されず、例えば、鉄，炭素鋼，ステンレス鋼，真鍮等の金属、ポリエチレン，ポリプロピレン，ポリスチレン，ポリメタクリル酸エステル等の合成樹脂、又は木材等を用いることができるが、本考案を長期間に亘って使用するためには、堅牢性を維持するために、剛性を有する金属で作製されることが好ましく、水に触れても錆び難いステンレス鋼又は防錆処理加工された金属で作製されることがより好ましい。
【００３６】
台座１０は、略平らな板状の部材であって、その手前側の左右両端付近は切り欠かれて、外に凸なる緩やかな曲線を描く様に形成され、シャンプーボウル９０内面手前側に当接し易い形状とされている。台座１０の形状は必ずしもこれに限定されず、例えば、特定形状のシャンプーボウルに取り付け易い様に、当該シャンプーボウル内面にフィットする下部形状とすることもできるが、多様な形状を有する各種シャンプーボウルに取り付けられる様、平らな板状材で作製されることが好ましい。台座１０は、洗髪者や被洗髪者の体の一部が触れても怪我をしない様に、及びシャンプーボウル９０を傷付けない様に、その外周が緩やかな曲線状に形成されることが好ましい。
【００３７】
台座１０の材質は、既述の通り、剛性を有する材質であれば特に限定されず、例えば、鉄，炭素鋼，ステンレス鋼，真鍮等の金属、ポリエチレン，ポリプロピレン，ポリスチレン，ポリメタクリル酸エステル等の合成樹脂、又は木材等を用いることができるが、堅牢性を維持し本考案を長期間に亘って使用するためには、剛性を有する金属で作製されることが好ましく、水に触れても錆び難いステンレス鋼又は防錆処理加工された金属で作製されることがより好ましい。また、台座１０を透光性合成樹脂で作製すると、台座１０を通してその下方を視認できるから、台座１０とシャンプーボウル９０の空隙に残存する毛髪，洗髪剤の泡等の異物に気付き易く、目視しながらそれらを洗い流すこともでき、本考案及びシャンプーボウルを衛生的に保つために有用である。
【００３８】
台座１０の奥端における略中央部は切り欠かれて、排水凹部１２が設けられている。排水凹部１２を有する場合、本考案をシャンプーボウル９０に配置した際に台座１０が排水口９２を覆うことが回避されるから、本考案がシャンプーボウル９０の排水を妨げず、本考案及びシャンプーボウル９０を衛生的に保つことに資する。また、奥壁９３の左右略中央付近が手前に突出する形状のシャンプーボウルも流通しているが、排水凹部１２を設けた本考案は、斯様な形状のシャンプーボウルにも取り付けることができる。排水凹部１２の形状は、円滑な排水が可能であれば特に限定されず、図示される略半円形状の他、例えば略楕円形状や任意多角形状等の任意形状とすることもできる。
【００３９】
台座１０の外周には、断面略矩形状の条体の一面に長手方向の溝を設けて作製されたゴム製の緩衝枠材１３が、前記溝で台座１０外周に外嵌着されて設けられている。緩衝枠材１３は、台座１０をシャンプーボウル９０に載置した際に両者が直接接触し損傷することを防ぐ他、台座１０がシャンプーボウル９０内面に沿って滑ることを回避して本考案の安定性を高める機能を有する。緩衝枠材１３の材質は、弾性を有する材質であれば必ずしもゴム材に限定されず、緩衝枠材１３の断面形状も特に限定されない。緩衝枠材１３は必ずしも台座１０の全周に渡って設けられていることに限られず、例えば、シャンプーボウル９０に接触する台座１０の端部の一部にのみ設けられていても良い。
【００４０】
台座１０の左右両奥端付近には、当接部２０，２０が立設されている。当接部２０は、下端を溶接固定して台座１０に立設された支持脚２１と、支持脚２１の上端付近に回動可能且つ角度調節可能に軸着されたガイド筒部材２２と、ガイド筒部材２２に摺動自在且つ固定位置変更可能に内嵌された当接棒材２３を具えている。
【００４１】
支持脚２１は略矩形状の板状の部材であって、ガイド筒部材２２が回動しても接触しない様に、その上端の角は切り欠かれて略円弧状に形成されている。ガイド筒部材２２は、略六角柱状の筒部２２ａの下端に、筒部２２ａの軸と略平行な板状の垂下部２２ｂを溶接して設けた部材である。垂下部２２ｂは略矩形状の板状材で作製されているが、洗髪者及び被洗髪者の身体の一部が触れても怪我をしない様、その角は略円弧状に丸められている。垂下部２２ｂ及び支持脚２１は穿孔され、当該両穿孔には、ピン２４が密嵌されている。これにより、ガイド筒部材２２は支持脚２１に対して回動可能であり、且つ、支持脚２１との接触で規制されない範囲内において任意角度に固定可能（即ち角度調節可能）とされている。ガイド筒部材２２を回動可能且つ角度調節可能とする手段は必ずしもこれに限定されず、例えば、支持脚２１に垂下部２２ｂが回動自在に螺着されていても良い。
【００４２】
筒部２２ａの軸は、略円柱形状に刳り貫かれてガイド孔２２ｃが設けられ、筒部２２ａの上端からガイド孔２２ｃに至る螺子孔には、頭部側面がローレット加工された当接棒材固定螺子２２ｄが螺合されている。当接棒材２３は、その奥端にゴム製の当接緩衝部２３ａが設けられた略円柱形状の棒材で、その軸方向における複数個所に係合凹み２３ｂ，…が周設されている。当接棒材２３は、筒部２２ａに内嵌挿入され該筒部２２ａに対して摺動自在であるが、係合凹み２３ｂに先端部を係合させて当接棒材固定螺子２２ｄを締め付けると、その前後位置は筒部２２ａに対して所定位置に固定される。当接棒材２３のガイド筒部材２２に対する前後位置を可変且つ固定可能とする手段は必ずしもこれに限定されず、例えば、内周面が雌螺子加工されたガイド孔に、外周面が雄螺子加工された当接棒材が進退自在に螺合されていても良い。
【００４３】
シャンプーボウル９０には、その奥壁９３から手前端までの長さ，内面手前側の勾配等が異なる多様な形状のものがあるが、ガイド筒部材２２が回動可能且つ角度調節可能であり、当接棒材２３がガイド筒部材２２に摺動自在且つ固定位置変更可能とされた上記構成によれば、前記多様な形状を有するシャンプーボウルにも本考案を取り付けられる。尚、当接部２０の各部材の形状は、同等の機能を発揮できれば、必ずしも上記形状に限定されない。また、当接部２０は、当接棒材２３を有する構成であれば必ずしも上記全ての部材を含むことに限られず、当接部２０が一体として作製されていても良い。
【００４４】
台座１０の左右略中央には、図１及び図２に示される様に、前後方向の摺動溝１１が穿設され、摺動部材３１が設けられている。摺動部材３１は、何れも摺動溝１１よりも幅広く形成された２枚の板状材を、摺動部材固定螺子３１ａ，３１ａで螺着して形成されている。摺動部材３１は摺動溝１１に係合して摺動自在であるが、摺動部材固定螺子３１ａ，３１ａを締め付けると摺動溝１１の縁部を挟持してその位置が固定される様に形成されている。
【００４５】
摺動部材３１上には、やや手前側に傾いたガイド筒３２が立設され、ガイド筒３２には支持棒材３３が摺動自在に内嵌されている。支持棒材３３は略円柱形状の棒材で、その軸方向における複数個所に、当接棒材２３と同様の係合凹み３３ａ，…が周設されている。ガイド筒３２の周壁には、その内外を連通する螺子孔が設けられ、頭部側面がローレット加工された支持棒材固定螺子３２ａが螺合されている。支持棒材３３は、ガイド筒３２に対して摺動自在であるが、係合凹み３３ａに先端部を係合させて支持棒材固定螺子３２ａを締め付けると、その高さ位置はガイド筒３２に対して所定位置に固定される。支持棒材３３のガイド筒３２に対する高さ位置を可変且つ固定可能とする手段は必ずしもこれに限定されず、例えば、内周面が雌螺子加工されたガイド筒に、外周面が雄螺子加工された支持棒材が進退自在に螺合されていても良い。
【００４６】
支持棒材３３の上端には、被洗髪者の頭部を支承する支承部３４が連結されている。支承部３４は、略矩形状の板状材の角を丸め、左右両端を上方に反らして形成した支承部底板３４ａに、角及び稜が面取りされた略直方体状の支承部緩衝材３４ｂを貼着して形成されている。支承部緩衝材３４ｂは、被洗髪者の頭部が直接触れる部分であり、クッション性を持たせるためにウレタンフォームで作製されているが、その材質は弾性を有するものであれば必ずしもウレタンフォームに限られず、例えばゴム材で作製することもできる。
【００４７】
支承部底板３４ａの下端面の略中央部には、図３に示される様に、略平らな板状材で作製された左右２個の係合突起３４ｃ，３４ｃが、互いに略平行に垂設されている。係合突起３４ｃ，３４ｃは、角を丸めた略矩形状に形成されていて、それらの略中央は各１箇所ずつ穿孔されている。支持棒材３３の上端部は、左右両方が切削されて平らな面が設けられていて、該平らな面に係合突起３４ｃ，３４ｃの相互対向する面が夫々当接されている。支持棒材３３の上端部には左右方向の貫通孔が穿設されていて、該貫通孔と係合突起３４ｃ，３４ｃの前記穿孔には、螺子３４ｄが挿通され、ナット３４ｅと螺合されている。上記構成によれば、支承部３４は、支持棒材３３に対して回動自在且つ角度調節可能である。支承部３４を支持棒材３３に対して回動自在且つ角度調節可能とする手段は必ずしもこれに限られず、例えば、支持棒材３３上端部の孔及び係合突起３４ｃ，３４ｃの穿孔に、ピンが密嵌されていても良い。
【００４８】
実施例１のシャンプーボウル取付型枕は、例えば図４に示される様にして、シャンプーボウル９０内に配置される。まず、排水凹部１２が排水口９２に対応する位置に配置される様に調整して前後位置を決め、本考案をシャンプーボウル９０内に載置する。この時、台座１０の手前端又は側端の少なくとも一部はシャンプーボウル９０内面に当接され、また、シャンプーボウル９０の広狭によっては、台座１０の奥端の一部もシャンプーボウル９０内面に当接される。台座１０は、通常、図４に示される様に手前側を高くして斜めに配置され、それに伴って、支持棒材３３は略鉛直方向に配置される。ガイド筒部材２２，２２を、支持脚２１，２１に対して回動させ、当接棒材２３，２３が奥壁９３に対して略垂直となる角度に固定する。その後、奥壁９３に当接するまで当接棒材２３，２３を奥側に引出し、当接棒材固定螺子２２ｄ，２２ｄで締め付けて当接棒材２３，２３を固定する。
【００４９】
上記操作によってシャンプーボウル９０に取り付けられた本考案は、ガイド筒部材２２，２２の角度及び当接棒材２３，２３の引出し長さを一旦設定した後は、持ち上げるのみで容易にシャンプーボウル９０から取り外すことができ、また、再度載置するのみで容易に前記シャンプーボウル９０に取り付けることができる。
【００５０】
洗髪時には、シャンプーボウル９０の頸載置部９５に被洗髪者の頸部を載置すると共に、支承部３４で被洗髪者の頭部の一部を支承する。シャンプーボウル９０の形状及び被洗髪者の体躯に合せて、摺動部材３１の前後位置，支持棒材３３の突出長さ（即ち支承部３４の高さ位置），及び支承部３４の角度を調節することができ、被洗髪者は、自身に適した楽な姿勢を取ることができる。尤も、支承部３４の最適な前後位置及び高さ位置は、主にシャンプーボウル９０に依存し個人差が少ないから、通常は、個々の被洗髪者に対して支承部３４の角度を調節するのみで足りる。
【実施例２】
【００５１】
以下、本考案の別の実施例について説明するが、実施例１と同一部分については、詳細な説明は省略する。
【００５２】
実施例２のシャンプーボウル取付型枕は、図５に示される様に、シャンプーボウル９０内に載置される略平板状の台座４０，奥側に突出する当接棒材５２，５２を有し、台座４０の左右両奥端付近に立設された当接部５０，５０，台座４０の左右略中央に立設された支持棒材６２，及び支持棒材６２の上端に設けられ、被洗髪者の頭部を支承する支承部６３とを具えている。
【００５３】
台座４０の奥端における略中央部は切り欠かれて、排水凹部４２が設けられている。また、台座４０の外周には、断面略矩形状の条体の一面に長手方向の溝を設けて作製されたゴム製の緩衝枠材４３が、前記溝で台座４０外周に外嵌着されて設けられている。
【００５４】
実施例２に係る当接部５０は、下端が台座４０に溶接固定された支持脚５１と、支持脚５１の上端に溶接され奥側に突出する当接棒材５２を具えている。支持脚５１は、板状材で作製され、その上端が奥側に向け高くなる様に形成されている。当接棒材５２は、その奥端にゴム製の当接緩衝部５２ａが設けられた略四角柱状の棒材であって、その１つの周面が支持脚５１の上端に溶接され固定されている。したがって、当接棒材５２の角度は、支持脚５１の上端の角度に等しくされて固定されている。また、当接棒材５２の前後位置は支持脚５１に対して不変であり、当接棒材５２の台座４０奥端からの突出長さも不変である。斯様な構成を有する本実施例のシャンプーボウル取付型枕は、よりシンプルな構造であるから、特定形状のシャンプーボウル専用品として廉価に大量生産できる。
【００５５】
台座４０の左右略中央には、ガイド筒６１が、その下端を溶接され立設されている。ガイド筒６１は、その内周面が雌螺子加工された略円筒形状の部材であって、やや手前側に傾けて台座４０に溶接されて立設され、本考案をシャンプーボウル９０に取り付けた際に略鉛直となる様にされている。
【００５６】
ガイド筒６１には、下端を含む周面の少なくとも一部が雄螺子加工された、略円柱形状の支持棒材６２が螺合されている。支持棒材６２は、回転によって、ガイド筒６１に対する高さ位置を調節可能である。
【００５７】
支持棒材６２の上端を含む一部は、軸を含む面で２分割され、分岐部６２ａ，６２ａが形成されている。分岐部６２ａ，６２ａには、略平らな板状材で作製され支承部６３に垂設された１個の係合突起６３ａが嵌入され、係合突起６３ａ及び分岐部６２ａ，６２ａに設けられた穿孔には、六角ボルト６３ｂが挿通され六角ナット６３ｃと螺合されている。これによって、支承部６３は、支持棒材６２に対して前後回動可能且つ角度調節可能とされている。支承部６３を支持棒材６２に対して前後回動可能且つ角度調節可能とする手段は必ずしもこれに限られず、例えば、任意形状の螺子や密嵌されたピンで軸止することもできる。
【００５８】
係合突起６３ａの上端部は、略平らな板状材で作製され左右両側端が上方に湾曲した略馬蹄形部材６３ｄの左右略中央に溶接されている。略馬蹄形部材６３ｄの両上端部付近には、図６に示される様に、手前側に向けてシャフト６３ｅ，６３ｅが突設されている。シャフト６３ｅ，６３ｅにはシリンダー６３ｇ，６３ｇが回動自在に外嵌されていて、その抜け落ちを防止するために、シャフト６３ｅ，６３ｅの手前端は幅広くされ略円形状のストッパー部６３ｆ，６３ｆが形成されている。シリンダー６３ｇは、ステンレス鋼材で作製した内周部６３ｈに、ウレタンフォーム製の外周部６３ｉを貼着した２層構造とされている。更に、シリンダー６３ｇ，６３ｇの軸長と略等しい幅を有するウレタンフォーム製の無端帯６３ｊが、両シリンダー６３ｇ，６３ｇに架け渡されて設けられている。回動自在なシリンダー６３ｇ，６３ｇに架け渡された無端帯６３ｊも回動自在であるから、被洗髪者の頭部を支承しながら、被洗髪者の顔の向きを変えることができる。
【００５９】
シリンダー６３ｇ，６３ｇを突設する部材の形状は、必ずしも略馬蹄形に限られず、また、シリンダー６３ｇ，…の数も２本以上であれば特に限定されない。無端帯６３ｊは、クッション性を持たせるためにウレタンフォームで作製されているが、その材質は柔軟なものであれば必ずしもウレタンフォームに限られず、例えば、ゴム材，天然繊維製又は化学繊維製の布帛等を用いることもできる。シリンダー６３ｇは、必ずしも上記した２層構造を有することに限られず、例えば剛性を有する金属のみで作製されていても良いが、クッション性を高めるために、ウレタンフォームその他の発泡合成樹脂，ゴム材等の弾性を有する材質で外周部６３ｊを作製することが好ましい。
【符号の説明】
【００６０】
１０，４０  台座
１１  摺動溝
１２，４２  排水凹部
１３，４３  緩衝枠材
２０，５０  当接部
２１，５１  支持脚
２２  ガイド筒部材
２２ａ  筒部
２２ｂ  垂下部
２２ｃ  ガイド孔
２２ｄ  当接棒材固定螺子
２３，５２  当接棒材
２３ａ，５２ａ  当接緩衝部
２３ｂ  係合凹み
２４  ピン
３１  摺動部材
３１ａ  摺動部材固定螺子
３２，６１  ガイド筒
３２ａ  支持棒材固定螺子
３３，６２  支持棒材
３３ａ  係合凹み
３４，６３  支承部
３４ａ  支承部底板
３４ｂ  支承部緩衝材
３４ｃ，６３ａ  係合突起
３４ｄ  螺子
３４ｅ  ナット
６２ａ  分岐部
６３ｂ  六角ボルト
６３ｃ  六角ナット
６３ｄ  略馬蹄形部材
６３ｅ  シャフト
６３ｆ  ストッパー部
６３ｇ  シリンダー
６３ｈ  内周部
６３ｉ  外周部
６３ｊ  無端帯
９０  シャンプーボウル
９１  窪み
９２  排水口
９３  奥壁
９４  縁部
９５  頸載置部
１００  被洗髪者
【図１】
0003154625.tif 000003
【図２】
0003154625.tif 000004
【図３】
0003154625.tif 000005
【図４】
0003154625.tif 000006
【図５】
0003154625.tif 000007
【図６】
0003154625.tif 000008
【図７】
0003154625.tif 000009